(57)【要約】【課題】回路基板の水濡れによる回路の短絡，配線の劣化を防止する。【解決手段】レンズ駆動装置１０のケース内には、レンズ鏡胴側から順番に駆動機構部３８，シート部材４４，回路基板４３が配されている。駆動機構部３８は、モータ、ギア列，及び連結ギアを含み、連結ギアが開口から露呈され、レンズ鏡胴の操作リングと係合する。シート部材４４は、駆動機構部３８が駆動されたときに連結ギア等の回転で飛散する水が回路基板４３に達しないようにする。【選択図】図４
2010139587.tif 000002
【特許請求の範囲】
【請求項１】
光学系を保持するレンズ鏡胴の側方に取り付けられ、レンズ鏡胴の外周に設けた回動自在な操作リングを回転して前記光学系を調節するレンズ駆動装置において、
前記操作リングと係合する連結ギアとこの連結ギアを回転するモータを含む駆動機構部と、
前記駆動機構部を制御する回路部が形成された回路基板と、
レンズ鏡胴側のケース側面に前記連結ギアを露呈するギア開口が設けられ、レンズ鏡胴側から順番に前記駆動機構部と前記回路基板とが内部に配されるケースと、
前記ケース内で前記駆動機構部と前記回路基板との間に配されるシート部材と、
を備えたことを特徴とするレンズ駆動装置。
【請求項２】
前記シート部材は、前記駆動機構部の前記回路基板側の凹凸に沿う凹凸部が形成され、前記駆動機構部と前記回路基板とによって狭持されることを特徴とする請求項１記載のレンズ駆動装置。
【請求項３】
前記シート部材は、前記回路基板に接続された配線コードを通して支持する配線用開口と、シート部材の縁と前記配線用開口との間に形成され、前記配線用開口に対して配線コードの挿脱を行うための切込部とを縁部に有することを特徴とする請求項１または２記載のレンズ駆動装置。
【請求項４】
前記シート部材は、前記連結ギアが回転した時に、前記駆動機構部側から前記回路基板への水の飛散を防止することを特徴とする請求項１ないし３のいずれか１項に記載のレンズ駆動装置。
【請求項５】
前記シート部材は、表面が絶縁性を有することを特徴とする請求項１ないし４のいずれか１項に記載のレンズ駆動装置。
【請求項６】
前記シート部材は、導電性を有し電気的ノイズのシールド機能を有するシールド層と、このシールド層の表面を覆う絶縁層を有することを特徴とする請求項５記載のレンズ駆動装置。
【発明の詳細な説明】
【技術分野】
【０００１】
本発明は、モータの回転を伝達して撮影レンズを駆動するレンズ駆動装置に関するものである。
【背景技術】
【０００２】
ＥＮＧレンズのレンズ鏡胴に取り付けられる、ドライブユニットと呼ばれるレンズ駆動装置が知られている（例えば、特許文献１，２を参照）。このレンズ駆動装置は、レンズ鏡胴の側方に取り付けられ、ケースの内部に駆動機構部、回路基板等を内蔵している。ケースは、例えば右手でグリップしたときに手のひらになじむように略卵型をしており、そのケース外面にはズームボタン等からなる操作部が設けられている。
【０００３】
駆動機構部は、レンズ鏡胴の外周に回動自在に設けた操作リングを回転するためのものであり、この駆動機構部が操作リングを回動することによって、レンズ鏡胴が保持している光学系の調節、例えばズーミング、ピント調節、アイリス調節が行われる。このような駆動機構部は、駆動力を発生させるモータと、操作リングの周面に形成された歯列と噛合する連結ギアと、モータの駆動力を連結ギアに伝達するギア列などから構成されており、連結ギアがケースの側面に形成された開口から露呈するようになっている。
【０００４】
回路基板には、上記の駆動機構部の駆動を制御する駆動制御回路等が形成されている。駆動制御回路は、操作部からの操作信号や、レンズ鏡胴に取り付けられたテレビカメラからの制御信号に基づいて、上記の駆動機構部の駆動を制御する。回路基板は、通常は、開口から見て駆動機構部よりもケースの奥に配されている。
【特許文献１】特開平１１−１８４００７号公報
【特許文献２】特開２００７−２９８６７２号公報
【発明の開示】
【発明が解決しようとする課題】
【０００５】
ところで、ＥＮＧレンズは、雨天屋外等の水がかかるような状況下で使用されることも多い。しかし、連結ギアを露呈する開口からレンズ駆動装置のケース内に水が入り込み、これで回路基板が濡れると回路の短絡や、配線が劣化して断線の原因となる。そこで、上記のように回路基板を開口から見てケースの奥（レンズ鏡胴から離れる方向）に配することで水濡れを防止している。
【０００６】
しかしながら、このような水濡れ防止対策は、ある程度有効であるが、駆動機構部を駆動したときの水の浸入に対しては不十分であった。すなわち、操作リングが水濡れすると、それに噛合した連結ギアに水が付着し、連結ギアが回転するとその回転による遠心力等によって付着した水が飛散するが、連結ギアは、その回転軸がレンズ鏡胴の光軸と平行となる方向であるから、飛散する水の一部がケースの奥に向い回路基板に付着してしまう。なお、ギア列を構成するギアやモータの回転部に水が付着した場合も同様な問題が生じる。
【０００７】
また、駆動機構部はモータの回転等により電気的なノイズを発生させるが、そのノイズが回路基板の駆動制御回路に影響を与え誤作動を発生させるなどの問題も生じる。さらには、ケース内では、駆動機構部のモータと回路基板とを接続する配線コード等などの各種配線コードが配されるが、それら配線コードが絡み合い、過度な曲げや引っ張りが生じて断線するなどの不具合が発生する場合がある。
【０００８】
本発明は、上記課題を解決するためになされたもので、駆動機構部によって飛散する水による回路基板の水濡れを防止することができるレンズ駆動装置を提供することを目的とする。
【課題を解決するための手段】
【０００９】
上記課題を解決するために、請求項１記載の発明では、レンズ鏡胴の操作リングと係合する連結ギアとこの連結ギアを回転するモータを含む駆動機構部と、駆動機構部を制御する電子回路が形成された回路基板と、レンズ鏡胴側のケース側面に連結ギアを露呈するギア開口が設けられ、レンズ鏡胴側から順番に駆動機構部と回路基板とが内部に配されるケースと、ケース内で駆動機構部と回路基板との間に配されるシート部材とを備えたものである。
【００１０】
請求項２記載の発明では、シート部材に、駆動機構部の回路基板側の凹凸に沿うよう凹凸部を形成し、駆動機構部と回路基板とによって狭持するようにしたものである。
【００１１】
請求項３記載の発明では、シート部材の縁部に、回路基板に接続された配線コードを通して支持する配線用開口と、シート部材の縁と配線用開口との間に配線用開口に対して配線コードの挿脱を行うための切込部とを形成したものである。
【００１２】
請求項４記載の発明では、シート部材を、連結ギアが回転した時に、駆動機構部側から回路基板への水の飛散を防止するようにしたものである。
【００１３】
請求項５記載の発明では、シート部材を、その表面が絶縁性を有するようにしたものである。
【００１４】
請求項６記載の発明では、シート部材が、導電性を有し電気的ノイズのシールド機能を有するシールド層と、このシールド層の表面を覆う絶縁層を有するものである。
【発明の効果】
【００１５】
本発明によれば、駆動機構部と回路基板との間にシート部材を配したから、駆動機構部が駆動されたときに、駆動機構部から回路基板に向けて飛散する水をシート部材で受けて、飛散した水の回路基板への付着を防止することができ、水濡れによる回路の短絡や、配線の劣化を防止することができる。また、シート部材にノイズシールドの機能を持たせたから、駆動機構部のモータなどで発生する電気的なノイズが回路基板の駆動制御回路に影響をなくすことができる。さらには、配線コードを通す配線用開口をシート部材に形成したから、配線コードの絡み合いを防止できる。
【発明を実施するための最良の形態】
【００１６】
本発明を実施したレンズ駆動装置を図１，図２に示す。なお、図１は、レンズ駆動装置１０をレンズ鏡胴１１に取り付けた状態を、図２はレンズ駆動装置１０をレンズ鏡胴１１から外した状態を示している。
【００１７】
レンズ駆動装置１０は、テレビカメラ用の撮影レンズであるレンズ鏡胴１１に取り付けて使用する。レンズ鏡胴１１は、フォーカスレンズ群，変倍レンズ群，アイリス（絞り）を含む光学系を内部に保持している。レンズ鏡胴１１は、略円柱形状であり、その周面には、光学系を調節するための操作リングとして、ピント調節用のフォーカスリング１２、ズーミング用のズームリング１３、光量調節用のアイリスリング１４を回転自在に設けてある。これら各リング１２〜１４には、その周面に歯列を形成してある。レンズ鏡胴１１の後端には、レンズマウント１５を設けてあり、そのレンズマウント１５を介して周知のテレビカメラ１６（図６参照）が取り付けられる。
【００１８】
レンズ駆動装置１０は、そのケース２１の外面２１ａをグリップし易いように卵を横に寝かせた面形状に、またレンズ鏡胴側の側面としての内面２１ｂ（図３参照）をレンズ鏡胴１１の周面に沿う凹面にそれぞれしてある。このレンズ駆動装置１０は、レンズ鏡胴１１に着脱自在としてあり、取り付け時には、レンズ鏡胴１１の側面に内面２１ｂを沿う姿勢にしてビス等の固着手段により固定される。また、レンズ駆動装置１０と、レンズ鏡胴１１の後端に取り付けたテレビカメラ１６とは、ケーブルで接続され、これらの間で各種信号の授受が行われる。
【００１９】
レンズ駆動装置１０には、ズームスイッチ２２、モード切替スイッチ２３、オートスイッチ２４、リターンスイッチ２５，録画スイッチ２６からなる操作部２７を設けてある。各スイッチ２２〜２６は、その操作部材であるズームボタン２２ａ，モード切替ツマミ２３ａ，オートボタン２４ａ，リターンボタン２５ａ，録画ボタン２６ａをケース２１の外側に露呈して設けてある。
【００２０】
ズームスイッチ２２は、レンズ鏡胴１１の焦点距離を変化（ズーム）させるためのものであり、ズームボタン２２ａは、光軸Ｐに略直交する軸を中心として揺動自在にしてある。このズームボタン２２ａは、前方のテレ側凸部を押圧するとレンズ鏡胴１１が望遠側に向けて変倍し、逆に後方のワイド側凸部を押圧するとレンズ鏡胴１１が広角側に向けて変倍する。いずれの押圧操作においても、ズームボタン２２ａの押し込み量（操作量）によって変倍スピードを調整することができ、その押し込み量が大きいほど変倍スピードが高速になる。ズームボタン２２ａは、押圧を解除することで中立位置に復帰する。
【００２１】
モード切替スイッチ２３は、アイリス調節を自動で行うオートモードと、手動で行うマニュアルモモードとに切り換えるものである。モード切替スイッチ２３は、そのモード切替ツマミ２３ａを光軸Ｐと略平行な方向に沿ってスライド自在としてあり、このモード切替ツマミ２３ａをスライド操作することで、オートモードとマニュアルモードとのいずれか一方のモードに切り替えられる。
【００２２】
オートスイッチ２４は、アイリス調節をマニュアルモードに設定しているときに、一時的にオートモードとするためのスイッチとなっている。このオートスイッチ２４は、オートボタン２４ａを押圧する押しボタン式のスイッチであり、アイリス調節をマニュアルモードに設定しているときに、そのオートボタン２４ａを押圧している間だけ、アイリス調節がオートモードとなる。
【００２３】
リターンスイッチ２５は、オンエア中の画面や他のカメラで撮影している画面などの他画面をテレビカメラ１６に設けたビューファインダに表示するか否かを切り換えるスイッチである。このリターンスイッチ２５は、リターンボタン２５ａを押圧する押しボタン式スイッチであり、リターンボタン２５ａの押圧するごとに、ビューファインダでの他画面の表示の有無が切り換えられる。
【００２４】
録画スイッチ２６は、録画ボタン２６ａの押圧操作ごとに録画の開始／終了を切り換えるものである。録画ボタン２６ａは、撮影者がレンズ駆動装置１０をグリップしたときに、そのグリップする右手の親指が自然に掛かる位置に配してある。録画が開始されると、撮影中の映像がビデオテープやメモリ等の記録媒体に記録（録画）される。
【００２５】
図２に示されるように、ケース２１の外面２１ａには、前後方向に長いグリップベルト２８を取り付けるためのベルト通し穴２９ａ，２９ｂをそれぞれ設けてある。カメラマンは、ケース２１とグリップベルト２８の間に右手（親指以外の４本の指）を挿入することによって、レンズ駆動装置１０とともにレンズ鏡胴１１を保持することができる。また、このようにグリップしたときに、その右手の親指の自然に掛かる位置に録画ボタン２６ａを配してある。
【００２６】
図３に示すように、ケース２１の内面２１ｂには、フォーカスリング１２，ズームリング１３，アイリスリング１４に対面する部分に、それぞれギア開口３１〜３３を形成してあり、これらギア開口３１〜３３からは、連結ギア３４〜３６を露呈してある。レンズ駆動装置１０をレンズ鏡胴１１に取り付けた際には、連結ギア３４がフォーカスリング１２に形成した歯列に噛合する。同様に、連結ギア３５がズームリング１３の歯列に、連結ギア３６がアイリスリング１４の歯列にそれぞれ噛合する。
【００２７】
ケース２１には、各リング１２〜１４を回動するための駆動機構部３８（図４参照）を内蔵してある。駆動機構部３８からの駆動力は、上記３つの連結ギア３４〜３６に個別に伝達され、これによりフォーカスリング１２、ズームリング１３、及びアイリスリング１４を個別に回動させる。
【００２８】
図４に示すように、ケース２１は、外面２１ａを形成した外側カバー４１と、内面２１ｂを形成した内側カバー４２とからなり、その中空な内部に駆動機構部３８及び回路基板４３と、シート部材４４とを配してある。駆動機構部３８は、内側カバー４２側に、また回路基板４３は、外側カバー４１側にそれぞれ組み付けてあり、これらの間にシート部材４４を配してある。すなわち、レンズ鏡胴１１側から駆動機構部３８，シート部材４４，回路基板４３の順番で配してある。
【００２９】
駆動機構部３８は、各リング１２〜１４に対応して設けたフォーカス駆動機構４５，ズーム駆動機構４６、アイリス駆動機構４７からなる。各駆動機構４５〜４７は、後述するようにモータ，ギア列，連結ギア，ポテンショメータから構成され、モータの回転を連結ギアに伝達し、その連結ギアを介して対応するリングを回動する。
【００３０】
回路基板４３は、そのプリント基板上に各種回路素子を実装することによって、駆動機構部３８を駆動するための回路部としての駆動制御部４８（図６参照）を形成してある。駆動制御部４８は、各駆動機構４５〜４７のモータを駆動するためのドライバ、テレビカメラ１６との間で信号の授受を行うための回路、操作部２７からの操作信号及びテレビカメラ１６からの制御信号に基づいてモータの駆動を制御する制御回路等から構成される。
【００３１】
また、回路基板４３は、その上部に、ズームスイッチ２２，リターンスイッチ２５のスイッチ本体２５ｂをユニット化したスイッチユニット４９を取り付けてあり、このスイッチユニット４９を外側カバー４１に取り付けることによって組み付けられる。回路基板４３には、各スイッチ２２〜２６が配線コード等によって電気的に接続される。
【００３２】
シート部材４４は、水濡れした連結ギア３４〜３６やギア列のギアが回動したときに、その回動によって飛散する水が上述のような回路基板４３及び各スイッチ２２〜２６に達しないように設けてあり、回路基板４３上の回路の短絡、配線の劣化を防止する。
【００３３】
シート部材４４は、水濡れによって変質したり変形したりしない耐水性を有する、例えばプラスチック製の板状部材に、駆動機構部の回路基板４３側の凹凸に沿うように凹凸部４４ａを形成してある。シート部材４４は、凹凸部４４ａにより、連結ギア３４〜３６やギア列のギア等の可動部材に干渉しないようにしてあるとともに、モータの表面などの可動しない部分に密着するようにし、シート部材４４を駆動機構部３８と回路基板４３との間に狭持して固定している。このように、駆動機構部３８と回路基板４３とでシート部材４４を狭持することによって、駆動機構部３８のメンテナンス等の際にシート部材４４を容易に取り外すことができるようにしている。
【００３４】
シート部材４４の縁部には、複数の開口５１を設けてある。図５に示すように、各開口５１には、その開口５１からシート部材４４の縁にまで伸びた切込部５１ａを形成してあり、この切込部５１ａから開口５１に対する配線コード５２の挿脱を行う。開口５１に配線コード５２を通すことにより、ケース２１内での配線コード５２の絡みつきの防止を図る。また、開口５１に配線コード５２を通しておくことによって、ケース２１を分解したときのシート部材４４の不用意な脱落を防止する。なお、切込部５１ａは、開口５１に対して配線コード５２の挿脱を行うことができ、また開口５１内に配線コード５２を通した状態を維持できるのならば、適当な幅を有するスリット状に形成してもよい。
【００３５】
配線コード５２としては、駆動機構部３８に設けた各モータ，各ポテンショメータと回路基板４３とを接続する配線、テレビカメラ１６と回路基板４３との間で信号を授受するためのケース２１内の配線などがある。
【００３６】
上記シート部材４４は、それが回路基板４３と接触したときに、回路基板４３上の回路を短絡させないために、少なくともその表面が絶縁性を有するようにするのがよい。また、モータ等で発生する電気的なノイズのシールド機能を持たせてもよい。例えば、金属薄膜などからなるシールド層の表面を絶縁性のプラスチック樹脂などで覆う構成としてもよい。
【００３７】
図６に示すように、操作部２７の操作に応じた操作信号は、駆動制御部４８に送られる。駆動制御部４８は、操作部２７からの操作信号に基づいて、またテレビカメラ１６から入力する制御信号に基づいて、駆動機構部３８を制御する。駆動機構部３８は、前述のようにフォーカス駆動機構４５，ズーム駆動機構４６，アイリス駆動機構４７からなる。
【００３８】
フォーカス駆動機構４５は、フォーカス駆動用モータ４５ａ，ギア列４５ｂ，ポテンショメータ４５ｃ、及び連結ギア３４からなる。駆動制御部４８は、テレビカメラ１６からのフォーカス制御信号に基づいて、フォーカス駆動用モータ４５ａの駆動を制御する。フォーカス駆動用モータ４５ａの駆動力は、複数のギアからなるギア列４７ｂ，連結ギア３４を介してフォーカスリング１２に伝達されて、これを回転する。フォーカスリング１２が回転すると、レンズ鏡胴１１のフォーカスレンズ群５５が光軸Ｐに沿って前後移動してピント調節が行われる。
【００３９】
ポテンショメータ４５ｃは、ギア列４５ｂの出力に連結されており、フォーカスレンズ群５５の位置を検出する検出手段として用いられる。ポテンショメータ４５ｃから出力される位置検出信号は、駆動制御部４８にフィードバックされる。
【００４０】
ズーム駆動機構４６，アイリス駆動機構４７は、フォーカス駆動機構４５と同様な構成であり、ズーム駆動機構４６は、ズーム駆動用モータ４６ａ，ギア列４６ｂ，ポテンショメータ４６ｃ、及び連結ギア３５からなり、アイリス駆動機構４７は、アイリス駆動用モータ４７ａ，ギア列４７ｂ，ポテンショメータ４７ｃ、及び連結ギア３６からなる。
【００４１】
ズーム駆動機構４６は、駆動制御部４８がズームスイッチ２２の操作に応じてズーム駆動用モータ４６ａを駆動制御することにより、そのズーム駆動用モータ４６ａの駆動力をギア列４６ｂ，連結ギア３５を介してズームリング１３に伝達し、ズームリング１３を回転する。このズームリング１３の回転によって変倍レンズ群５６が光軸Ｐに沿って移動して、倍率調節が行われる。
【００４２】
モード切替スイッチ２３、オートスイッチ２４が操作されることで発生する各操作信号は、駆動制御部４８を介してテレビカメラ１６に送られ、テレビカメラ１６のアイリス調節のモードは切り替えられる。また、ポテンショメータ４７ｃから得られるアイリス５７の位置検出情報、すなわち絞り値が駆動制御部４８を介してテレビカメラ１６に送られる。
【００４３】
テレビカメラ１６は、アイリス調節がオートモードのときには、絞り値と撮影中の被写体の輝度などに基づいてアイリス５７を制御するアイリス制御信号を発生して、駆動制御部４８に送る。駆動制御部４８は、そのアイリス制御信号に応じてアイリス駆動用モータ４７ａの駆動を制御する。アイリス駆動用モータ４７ａの駆動力は、ギア列４７ｂ，連結ギア３６を介してアイリスリング１４に伝達される。アイリスリング１４が回転すると、アイリス５７が絞り開口を拡縮する。
【００４４】
次に上記構成の作用について説明する。レンズ鏡胴１１にレンズ駆動装置１０を取り付けた状態では、連結ギア３４がフォーカスリング１２に、連結ギア３５がズームリング１３に、連結ギア３６がアイリスリング１４にそれぞれ噛合している。
【００４５】
例えば、ズーミングする場合には、ズームスイッチ２２を操作する。この操作により、ズーム駆動用モータ４６ａが駆動制御部４８によって、ズームスイッチ２２の操作に応じていずれか一方向に回転する。そして、このズーム駆動用モータ４６ａの回転が、ギア列４６ｂを介して連結ギア３４に伝達され、この連結ギア３４と噛合しているズームリング１３を回転させる。これにより、変倍レンズ群５６が移動してレンズ鏡胴１１の倍率が変化する。
【００４６】
また、オートモードのときには、テレビカメラ１６からのアイリス制御信号が駆動制御部４８に入力され、このアイリス制御信号に応じてアイリス駆動用モータ４７ａが回転される。そして、アイリス駆動用モータ４７ａの回転は、ギア列４７ｂを介して、連結ギア３６を回転させ、さらにアイリスリング１４を回転する。これにより、アイリス５７の調節が行われる。同様に、テレビカメラ１６からのフォーカス制御信号に基づいて、駆動制御部４８によって、フォーカス駆動用モータ４５ａが駆動され、ギア列４７ｂを介して連結ギア３４が回転し、この回転でフォーカスリング１２が回転する。これにより、フォーカスレンズ群５５が移動してピント調節される。
【００４７】
上記のように動作するレンズ駆動装置１０は、レンズ鏡胴１１とともに、例えば雨天のような水がかかるような状況で使用されることもある。このような場合に、内面２１ｂに形成されたギア開口３１〜３３から直接に水滴がケース２１内に浸入しなくても、フォーカスリング１２やズームリング１３，アイリスリング１４に付着した水が連結ギア３４〜３６に付着し、あるいはさらに連結ギア３４〜３６からギア列４５ｂ〜４７ｂを構成するギアに付着することがある。
【００４８】
連結ギア３４〜３６やギア列４５ｂ〜４７ｂを構成するギアに水が付着し、それらギアが回転すると、遠心力によって付着した一部の水が回路基板４３や各スイッチ２２〜２６を配したケース２１の奥に向けて飛散する。しかし、駆動機構部３８と回路基板４３との間にシート部材４４を配してあるため、駆動機構部３８から飛散した水はシート部材４４に遮断されて回路基板４３や各スイッチ２２〜２６に達することはない。
【００４９】
したがって、回路基板４３が水濡れしてその基板上に形成されている回路が短絡したり、各スイッチ２２〜２６の接点が短絡したりすることがない。また、水濡れによる配線や接点の劣化も防止することができる。
【００５０】
上記実施形態では、テレビカメラ用のレンズ鏡胴１１の側部に着脱自在としたレンズ駆動装置１０を例に説明しているが、本発明はこれに限らず、テレビカメラや電子カメラ、あるいはビデオカメラ等に一体に設けてなるレンズ駆動装置にも適用することができる。
【図面の簡単な説明】
【００５１】
【図１】本発明のレンズ駆動装置をレンズ鏡胴に取り付けた使用状態を示す斜視図である。
【図２】レンズ駆動装置の背面側を示す斜視図である。
【図３】レンズ駆動装置の内面側を示す斜視図である。
【図４】レンズ駆動装置の内部の構成を示す分解斜視図である。
【図５】配線用コードを支持する開口を示すシート部材の縁部を示す斜視図である。
【図６】レンズ鏡胴、レンズ駆動装置、及びテレビカメラの構成の概略を示すブロック図である。
【符号の説明】
【００５２】
１０  レンズ駆動装置
１１  レンズ鏡胴
２１  ケース
３１〜３３  ギア開口
３４〜３６  連結ギア
３８  駆動機構部
４３  回路基板
４４  シート部材
【図１】
2010139587.tif 000003
【図２】
2010139587.tif 000004
【図３】
2010139587.tif 000005
【図４】
2010139587.tif 000006
【図５】
2010139587.tif 000007
【図６】
2010139587.tif 000008